(57)【特許請求の範囲】
【請求項１】
入力データとして、一方では、目標値仕様（ｗ）を、また、他方では、運転状態変数（ｘ）を、供給される少なくとも１つの運転ダイナミクスコントローラ（Ａ）を有し、さらに、また、車両の前、および／または、後車軸における、当該車両のドライバーと無関係に調整可能なステアリング、当該車両のドライバーと無関係に調整可能なシャシ、当該車両のドライバーと無関係に調整可能なブレーキ、および当該車両のドライバーと無関係に調整可能な駆動列のように、車両のダイナミクスをコントロールし、および／または、規定し、かつ変更することができる、複数のアクチュエータ（１、、ｍ）を有し、運転ダイナミクスコントローラ（Ａ）は、目標値仕様（ｗ）および運転状態変数（ｘ）からコントロール仕様（ν）を決定し、さらに、アクチュエータ（１、、ｍ）を駆動するための操作変数（ｕ）内にコントロール仕様（ν）を分配する分配アルゴリズム（Ｃ）にそれを与えてなり、
その分配アルゴリズム（Ｃ）は、現在のアクチュエータの状態によるコントロール、アクチュエータ（１−ｍ）の現在のアクチュエーティング速度、およびコントロール仕様（ν）の実行に対するそれらの寄与を考慮するために操作変数（ｕ）を生成する場合には、アクチュエータ（１−ｍ）の状態を与えられて、操作変数（ｕ）の境界およびそれらの個別の速度が決定されることを特徴とする車両用の運転ダイナミクスコントロールシステム。
【請求項２】
運転ダイナミクスコントローラ（Ａ）のコントロール仕様（ν）は、縦方向の、横方向の、および垂直方向のダイナミクスの物理的変数からなることを特徴とする請求項１記載の運転ダイナミクスコントロールシステム。
【請求項３】
分配アルゴリズム（Ｃ）は、正常な運転範囲および運転ダイナミクスに関する制限範囲の両方において、自動車両の運転動作を改善するために、車両ダイナミクスコントローラ（Ａ）のコントロール仕様（ν）と操作変数（ｕ）との間の偏差を最小限にすることを特徴とする、請求項１、または２のいずれか１項記載の運転ダイナミクスコントロールシステム。
【請求項４】
次の連立方程式がコントロール仕様（ν）と操作変数（ｕ）との間の偏差を最小限にするために適用されることを特徴とする請求項３記載の運転ダイナミクスコントロールシステム。
【数１】
0005420672.tif 000018
【請求項５】
コントロール仕様（ν）は、運転状態変数（ｘ）および操作変数（ｕ）のベクトル関数  ν＝ｇ（ｘ、ｕ）  であることを特徴とする請求項１−４のいずれか１項記載の運転ダイナミクスコントロールシステム。
【請求項６】
分配アルゴリズム（Ｃ）は、操作変数（ｕ）は、コントロール仕様（ν）を得るために増加する支援を備えたマトリックス（Ｂ）を有し、マトリックス（Ｂ）は、アクチュエータ（１−ｍ）の操作変数（ｕ）内へコントロール仕様（ν）の最適分配を保証するために、各動作ポイント用に、現在のコントロールの可能性あるアクチュエータ（１−ｍ）を有することを特徴とする請求項１−５のいずれか１項記載の運転ダイナミクスコントロールシステム。
【請求項７】
マトリックス（Ｂ）は、そのエントリーがベクトル関数ｇの偏導関数から形成されるヤコビマトリックスとして設計されており、そのマトリックス（Ｂ）は、次の関係の支援によって決定されることを特徴とする請求項６記載の運転ダイナミクスコントロールシステム。
【数２】
0005420672.tif 000019
【請求項８】
ヨーモーメント（ＭｚＧ）の物理的変数からなるコントロール仕様（ν）用の分配アルゴリズム（Ｃ）は、前輪ステアリング用の補足ステアリング角（Δδｖ）、後輪ステアリング用の補足ステアリング角（Δδｈ）、およびドライバーと無関係に操作可能なシャシの２つのスタビライザ間の回転支持力を分割するための分配パラメータ（λ）を計算し、さらに分配することを特徴とする請求項１−７のいずれか１項記載の運転ダイナミクスコントロールシステム。
【請求項９】
計算は、ベクトル関数  ν＝  ＭｚＧ＝  ｇ（Δδｖ、Δδｈ、λ）の支援によって実行されることを特徴とする請求項８記載の運転ダイナミクスコントロールシステム。
【請求項１０】
広域の縦方向力（ＦｘＧ）、広域の横方向力（ＦｙＧ）、および広域のヨーモーメント（ＭｚＧ）の物理的変数からなるコントロール仕様（ν）用の分配アルゴリズム（Ｃ）は、ドライバーと無関係に操作可能なシャシの２つのスタビライザ間のロール支持力を割当てるための分配パラメータ（λ）と同様に、前輪ステアリング用のステアリング角（Δδｖ）、後輪ステアリング用のステアリング角（Δδｈ）、および個別のホイールブレーキまたはホイール駆動トルク（Ｍｗｈｅｅｌ、ｖ１、Ｍｗｈｅｅｌ、ｖｒ、Ｍｗｈｅｅｌ、ｈｌ、Ｍｗｈｅｅｌ、ｈｒ）を計算し、さらに分配することを特徴とする請求項１−７のいずれか１項記載の運転ダイナミクスコントロールシステム。
【発明の詳細な説明】
【技術分野】
【０００１】
この発明は、車両用の運転ダイナミクスコントロールシステムに係り、入力データとして、一方では目標値仕様を、他方では運転状態変数（driving state variables）を与えられる少なくとも１つの運転ダイナミクスコントローラを有し、車両の前および/または後車軸において、ドライバーと無関係に調整可能なステアリングのような、車両ダイナミクスをコントロールされ、および/または、規定され、かつ修正することができる複数のアクチュエータと、ドライバーと無関係に調整可能なシャシと、ドライバーと無関係に調整可能なブレーキと、を有し、前記運転ダイナミクスコントローラは、目標値仕様および運転状態変数から中央コントロール仕様を決定し、それをさらにアクチュエータを駆動するための操作変数（manipulated variables）内にコントロール仕様を分配する分配アルゴリズム（distribution algorithm）に与える。
【０００２】
それらは、目標とされた方法で、自動車両の運転動作（driving behavior）に影響を及ぼすために使用することができるので、独立して動作可能なアクチュエータを備えた、アクティブな、電気的に動作可能なシャシおよび駆動列部品が、現代の自動車技術に侵入を増加してきている。運転ダイナミクスコントロールシステムは、今やそれがコントロール仕様として１つまたはそれ以上のアクチュエータ間で計算した安定化介在を分割する必要の作業に直面している。
【０００３】
他のシステムと共存して、システムがそれぞれそのための責任を負うそのアクチュエータを動作するという事実のために、自動車両の運転動作に独立して影響を及ぼす先行技術システムから知られている。この場合、アクチュエータを動作することによって所望の運転動作を達成することを、相互に無関係に試みる個別のコントロールシステム以外には、統合された運転ダイナミクスコントローラはない。
【０００４】
中央運転ダイナミクスコントローラを有するシステムの場合には、その先行技術は、運転ダイナミクスコントローラのコントロール仕様の規則に基づいた除法定理(division algorithm)を開示している。そのアクチュエータの操作変数間の運転ダイナミクスコントローラのコントロール仕様の分割のいずれか一方は、経験的に決定された分布係数（distribution factor）、または個々の操作変数の連続する連鎖（sequential concatenation）によって実行される。経験的に決定された分布係数を備えた方法の場合には、シミュレーション研究の、または直接車両におけるトライアルシリーズによる分布係数を決定することが慣習的である。連続する連鎖は、さらに、アクチュエータが異なる快適さ必要条件を満たすという事実を考慮する。したがって、連続する連鎖の場合には、第１のステップは、最も快適にコントロール要求を実行することができるこれらのアクチュエータを考慮することである。それらの可能性が不十分な場合には、より不快なアクチュエータが使用に入る。
【０００５】
ＷＯ２００４／１０１３３７Ａ１は、入力データとして、車両データ、環境データ、およびドライバーの希望に関連するデータ提供する信号分配を有する、車両用の運転ダイナミクスコントロールシステムを開示している。このプロセスにおいて、ドライバーと無関係なステアリング、ドライバーと無関係に調整可能なシャシ、ドライバーと無関係に調整可能なブレーキ、およびドライバーと無関係に調整可能な駆動列のような車両ダイナミクスをコントロールし、および／または、規定し、かつ修正することができる複数のサブシステムが、設けられている。以前に周知の運転ダイナミクスコントロールシステムの場合においては、信号供給からのデータは、中央の決定ユニットに供給され、そして、この中央の決定ユニットが、信号供給のデータから中央コントロール目標を決定している。この中央コントロール目標は、そのコントロール目標が車両上のサブシステムによって実行されるように、このサブシステムを備えたインタラクティブ通信において、前記サブシステムを駆動する中央の処理変数分配、または中央の運転状態コントローラに供給される。しかしながら、この方法は、運転ダイナミクスに関して、正常な運転範囲、および制限範囲において、より適切ではない。
【発明の概要】
【０００６】
したがって、この発明の目的は、縦方向の、横方向の、および垂直方向のダイナミクスに関する自動車両の運転特性が改善されるように、初めに特定された総括的なタイプの運転ダイナミクスコントロールシステムを改善することである。
【０００７】
この目的は、請求項１の特徴によって達成される。ここに、運転ダイナミクスコントロールシステムは、任意の所望のアクティブなシャシ部品間のアクチュエータの最適に割当て（dividing）操作変数のためである。この目的のために、現在のコントロール可能性、アクチュエータの現在の動作速度、およびコントロール仕様の実行に対するそれらの起こり得る貢献を考慮するために操作変数を生成する場合に、分配(distribution)アルゴリズムは、アクチュエータの状態を供給される。
【０００８】
有益な展開は、従属請求項から集めることができる。
【０００９】
運転ダイナミクスコントローラのコントロール仕様は、縦方向、横方向、および垂直方向のダイナミクスの物理的変数からなり、さらに運転状態変数およびアクチュエータの操作変数のベクトル関数である。特に有益な展開においては、運転ダイナミクスに関して正常な運転範囲および制限範囲の両方における自動車両の運転動作を改善するために分配アルゴリズムが、車両ダイナミクスおよび操作変数のコントロール仕様の間の偏差を最小にすることが規定される。
【００１０】
次の連立方程式が、コントロール仕様と操作変数との間の偏差を最小にするために適用される：
【数１】
0005420672.tif 000002
【００１１】
さらなる有益な展開は、分配アルゴリズムが、操作変数がコントロール仕様を得るために増加する支援を備えたマトリクスを有することを規定し、このマトリクスは、各動作ポイントのために、現在のコントロールの可能性あるアクチュエータを有し、アクチュエータの操作変数内にコントロール仕様の最適分配を保証する。
【００１２】
ここで、このマトリクスは、そのエントリーが運転状態変数のベクトル関数およびアクチュエータの操作変数の偏導関数（partial derivatives）から形成されるヤコビマトリクスとして設計されており、そのマトリクスは次の関係の支援によって決定されている：  
【数２】
0005420672.tif 000003
【００１３】
ヨーモーメントの物理的変数からなるコントロール仕様については、分配アルゴリズムは、前輪ステアリングのための補足ステアリング角、後輪ステアリングのための補足ステアリング角、および、ドライバーと無関係に操作可能なシャシの２つのスタビライザ間のロール支持力を割当てるための分配パラメータを計算し、そして分配する。
【００１４】
広域の縦方向力、広域の横方向力、および広域のヨーモーメントの物理的変数からなるコントロール仕様については、その分配アルゴリズムは、ドライバーと無関係に操作可能なシャシの２つのスタビライザ間のロール支持力を割当てるための分配パラメータと同様に、前輪ステアリングのためのステアリング角、後輪ステアリングのためのステアリング角、および個別のホイールブレーキまたはホイール駆動トルクを計算し、そして分配する。
【００１５】
この発明は、添付の図とともに２つの代表的な実施例の助けによってより詳細に以下に説明される。ここで：
【図面の簡単な説明】
【００１６】
【図１】図１は、この発明の運転ダイナミクススコントロールシステムの基本構造の単純化された例証を示す；
【図２】図２は、ヨーモーメントを計算するために使用される車両モデルの概略を示す；
【図３】図３は、横方向の力が、固定の摩擦値を与えられた様々な垂直方向の力のために、スリップ角に対してプロットされるのに使用される、タイヤモデルの線図を示す；  そして
【図４】図４は、この発明の分配アルゴリズムに影響を及ぼすパラメータの概略を示す。
【発明を実施するための形態】
【００１７】
この運転ダイナミクスコントロールシステムは、コントロールループとして図１におけるその基本構造に例証される。運転ダイナミクスコントローラＡは、目標値仕様ｗおよび運転状態変数ｘからの運転ダイナミクススコントローラのコントロール仕様νを計算する。図１において例証されるように、運転ダイナミクスコントローラのコントロール仕様νは、縦方向の、横方向の、および垂直方向のダイナミクスの場合における３つの広域の力成分ＦｘＧ、ＭｚＧ、およびＦｚＧを有している。この場合における力成分ＦｘＧは、自動車両の縦方向力を表示するが、一方では、力成分ＭｚＧは、ヨーモーメント、力成分ＦｚＧ、および車両本体の支持力を表示する。例えば、自動車両の横方向力ＦｙＧ、縦方向モーメントＭｘＧ、または横方向力ＭｙＧのようなさらなる要素を、もし要求されるならば、加えることができる。この用途によって、その操作変数は、運転ダイナミクスの限界範囲内に自動車両を安定させるか、または正常な運転範囲内に車両快適さを増加させる役目をする。
【００１８】
この発明に記述された分配アルゴリズムＣは、アクチュエータ１−ｍの間で、方程式Ｉにおいて特定された最適化関数（optimization function）にしたがって運転ダイナミクスコントローラＡのコントロール仕様νを分割し、そしてそのために対応する操作変数ｕを生成する。このことは、コントロール範囲、およびアクチュエータ１−ｍのアクチュエーティング速度のための第２の条件を備えた方程式の、劣決定系（underdetermined system）の解を要求し、このことは、最小誤差２乗（least error square）の方法の助けよってなされる：
【数３】
0005420672.tif 000004
【００１９】
最初の被加数においては、その関数は、コントロール仕様νと操作変数ｕとの間の偏差について記述する。操作変数ｕをコントロール仕様νと比較することができるために、それらは、（ｍ×ｎ）−マトリックスＢ が掛けられる。マトリックスＢは、アクチュエータの物理的な操作変数と、運転ダイナミクスコントローラＡによって計算されたコントロール仕様νとの間にリニア関係を示す。したがって、マトリックスＢは、現在の動作ポイントでリニア化されたアクチュエータ可能性について記述する。分配アルゴリズムＣは、今や、操作変数ｕとコントロール仕様νとの間の偏差を最小限にすることを試みる。
【００２０】
コントロール仕様νは、重み行列Ｗｖによって、個々に重みを加えることができる。
【００２１】
コントロール仕様νおよび操作変数ｕは、
【数４】
0005420672.tif 000005
【００２２】
にしたがうベクトル関数
【数５】
0005420672.tif 000006
【００２３】
によって、写像（mapping）することができると仮定すると、マトリックスＢは、次の関係によってヤコビマトリックスとして計算することができる：
【数６】
0005420672.tif 000007
【００２４】
次の代表的な実施例は、以前に記述された方法の適用によって、自動車両の横方向ダイナミクスのコントロールを示している。考慮されるものは、以下のアクティブな、電子的に駆動可能なシャシ部品：角度重ね合せ（angle superposition）を備えた前輪ステアリング、後輪ステアリング、およびロールスタビライザを有する車両である。ここに、ヨーモーメントＭｚＧの物理的変数を有するコントロール仕様νのために、分配アルゴリズムＣは、ドライバーと無関係に操作可能なシャシの２つのスタビライザ間のロール支持力を割当てるために、前輪ステアリング用の補足ステアリング角Δδｖ、後輪ステアリング用の補足ステアリング角Δδｈ、および分配パラメータλを計算し、そしてこれらを適切に分配する。
【００２５】
ヨーモーメントＭｚＧは、コントロール仕様νと見なされる。アクチュエータの操作変数は、前輪ステアリング用の補足ステアリング角Δδｖ、後輪ステアリング用の補足ステアリング角Δδｈ、および２つのスタビライザ間のロール支持力を割当てるための分配パラメータλである。
【００２６】
図２は、車輪に作用する縦方向および横方向力と一緒に考慮中の車両モデルを示している。方程式ＩＶにおいて表現されるように、車両に作用するヨーモーメントＭｚＧは、そのモーメントの平衡を保つことによって、付加的なステアリング角ΔδｖおよびΔδｈの関数として決定することができる。
【数７】
0005420672.tif 000008
【００２７】
横方向力Ｆｙは、方程式Ｖで特定されたタイヤモデルから与えられる。このモデルは、スリップ角α、さらにいくつかのタイヤモデルパラメータと同様に、縦方向力Ｆｘ、および車輪垂直方向力Ｆｚの関数として、横方向力の解析計算に使用することができる。このタイヤモデルは、さらにＦｚに依存するスリップスチフネスＣα０を有する。
【数８】
0005420672.tif 000009
【００２８】
図３は、選択された垂直方向力Ｆｚのための横方向力／スリップ角線図、および摩擦の固定的係数、としてタイヤ特性を例証する。縦方向力Ｆｘは、ブレーキをかける間に及ぼされるブレーキトルクによって、さらには、駆動トルクによって、付加的に、駆動された車軸上において決定される。それらは、方程式ＶＩを用いることによって、ほぼ計算することができる：
【数９】
0005420672.tif 000010
【００２９】
２つの車両車軸間のロールモーメントを割当てるための分配パラメータλは、
個別の車輪の垂直方向力Ｆｚにおいて、以下のように作用する：
【数１０】
0005420672.tif 000011
【００３０】
ｍ＝車両の大きさ
ｇ＝重力加速度
ｖ＝車両（縦方向）速度
ｈ＝重心高さ
ｓ＝軌跡
ｌｖ＝重心から前車軸までの距離
ｌｈ＝重心から前車軸までの距離
Ψ＝ヨーレート
分配パラメータλは、０と１の間の範囲内で変化し、λ＝０は、後車軸の全ロールモーメントが適用されるということを意味する。相応して、全ロールモーメントは、値λ＝１を与えられた前車軸によって支持される。
【００３１】
方程式ＩＶにおいて、方程式Ｖ、ＶＩ、およびＶＩＩを代用することは、仮想ヨーモーメントＭｚＧおよびアクチュエータ操作変数Δδｖ、Δδｈ、およびλの間の閉じた表現（closed presentation）を形成する。次の関係は、方程式ＩＩに類推して結果する：
【数１１】
0005420672.tif 000012
【００３２】
方程式ＩＩＩにしたがうＢ−マトリックスの計算の後に、方程式Ｉにおいて特定された最適化アルコリズムを、直接適用することができ、かつ最適の操作変数を計算することができる。
【００３３】
第２の代表的な実施例において、広域の縦方向力、横方向力、およびヨーモーメントは、コントロール仕様として使用される。この第２の代表的な実施例は、上述の方法の適用による自動車両の横方向ダイナミクスのコントロールを示す。考慮されることは、次のアクティブな、電子的に駆動可能なシャシ部品：角度インターフェースを備えた前輪ステアリング、後輪ステアリング、ロールスタビライザ、およびホイールトルクインターフェースを備えたブレーキシステム、または二者択一の、ホイールトルクのモニタリング、またはホイールハブモータを備えたシステム、を有する車両である。広域の縦方向力ＦｘＧ、広域の横方向力ＦｙＧ、および広域のヨーモーメントＭｚＧの物理的変数を有するコントロール仕様νのために、分配アルゴリズムＣは、ドライバーと無関係に操作することができるシャシの２つのスタビライザの間のロール支持力を割当てるための分配パラメータλと同様に、前輪ステアリング用のステアリング角Δδｖ、後輪ステアリング用のステアリング角Δδｈ、および個別のホイールブレーキ、またはホイール駆動トルクＭwheel、vl、Ｍwheel、vr、Ｍwheel、hl、Ｍwheel、hr、を計算する。  
次の関係が、操作変数ｕおよびコントロール仕様νのために結果する：
【数１２】
0005420672.tif 000013
【００３４】
広域の力およびモーメント／トルクは、以下に、この方程式から２次元の車両モデルのために決定される：
【数１３】
0005420672.tif 000014
【００３５】
方程式Ｘにおける横方向力Ｆｙは、方程式Ｖにおいて特定されたタイヤモデルから続く。次の関係が、方程式Ｖおよび方程式ＸにおけるＦｘのために使用される：
【数１４】
0005420672.tif 000015
【００３６】
適用（application）パラメータk、摩擦係数μ０、およびカムの円(Kamm’s circle)に起因する方程式ＶＩＩからの垂直方向力を有し、不等式
【数１５】
0005420672.tif 000016
【００３７】
は、さらに方程式Ｉにおける第２の条件の場合に補足することができる。
【００３８】
ヤコビマトリクスＢは、方程式ＩＩＩにしたがって作り出される。
【数１６】
0005420672.tif 000017
【００３９】
説明の目的で、図４は、入力パラメータ、この発明の分配アルゴリズムＣの影響を概略的に例証する。分配アルゴリズムＣは、コントロール仕様νを与えられ、さらに、分配アルゴリズムＣは、コントロール仕様νの実行に対するそれらの現在のコントロール可能性、それらの現在のアクチュエーティング速度、およびそれらの可能性ある貢献を考慮するために、アクチュエータ状態を考慮する操作変数ｕを作り出す。分配アルゴリズムＣは、それによって、操作変数ｕが、コントロール仕様νを得るために増加するマトリックスＢを有する。方程式Ｖで示され、図３に例証されるタイヤモデルのデータ、自動車両の車輪の垂直方向力と一緒の自動車両の運転状態、および摩擦係数は、マトリックスＢにおいて特徴づけられる。他方では、コントロール範囲、およびしたがって操作変数ｕ、およびそれらの速度の境界は、駆動されたアクチュエータタイプに、駆動されたアクチュエータタイプの電力制限に、および、順番に、自動車両の車輪の垂直方向力と一緒に摩擦係数に依存する。
【００４０】
図４においてさらに例証されるように、分配アルゴリズムＣは、コントロール仕様νの重み行列ＷＶによって影響を受け、この重み行列ＷＶは、呼出側関数（invoking function）に依存する。操作変数ｕの重み行列ＷＵは、自動車両による快適な運転を可能にする呼出側関数、アクチュエータ配位 、およびさらなる快適性パラメータに依存する。
【図１】
0005420672.tif 000020
【図２】
0005420672.tif 000021
【図３】
0005420672.tif 000022
【図４】
0005420672.tif 000023